(57)【要約】串刺し食品を安全にして、かつ口の辺りを汚すことなく、体裁よく食べることができる串刺し食品の食事用補助具を提供すること。【解決手段】適宜形状の寄せ板１に串１００の太さよりも僅かに大き目の貫通穴２（または溝部）が設けられ、この貫通穴２（または溝部）を介して串１００の把持部１０２に寄せ板１が差し込まれ、串指し食品２００のうち、先端部位の食品２００を食した後、寄せ板１と串１００を相対的に移動させて残りの食品２００を先端側１０１に寄せる。【選択図】  図３
0003125369.tif 000002
【実用新案登録請求の範囲】
【請求項１】
焼き鳥、団子等の串刺し食品を食する際、串（１００）の把持部分（１０２）に付けて用いられる補助具であって、
適宜形状の寄せ板（１）に前記串（１００）の太さよりも僅かに大き目の貫通穴（２）、または溝部（３）が設けられ、この貫通穴（２）、または溝部（３）を介して前記串（１００）の把持部（１０２）に前記寄せ板（１）が差し込まれ、前記串指し食品（２００）のうち、先端部位の食品（２００）を食した後、前記寄せ板（１）と前記串（１００）を相対的に移動させて残りの食品（２００）を先端側（１０１）に寄せるようにした構成を特徴とする串刺し食品の食事用補助具。
【考案の詳細な説明】
【技術分野】
【０００１】
本考案は、焼き鳥、団子等の串刺し食品を食する際、串の把持部分に差し込み、先端部位の食品を食した後、残りの食品を先端方向に寄せるようにした新規な串刺し食品の食事用補助具に関するものである。
【背景技術】
【０００２】
肉や魚介類、団子等の食品を竹串や金属串等の串に刺して提供することは日本ばかりでなく、広く世界各地で行われている。
【０００３】
ところで、現在最も多く使用されている竹串は、長さが約１５ｃｍ位で、これに一口大の焼き鳥や団子等の食品が４〜５個程度刺され、串の先端との反対端約３〜４分の１の部位は把持部分として食品は刺されていない。
【０００４】
通常、焼き鳥、団子等の串刺し食品を食べるには、先端の１〜２個は口に対し垂直に差し入れ、口を結んだ後に串を引き抜いて食べているが、その後串に残っている３個目以降は、同じ方法では串の先端が口腔内に刺さる恐れがあり危険であるので、顔面に対し串を横に構えて、残りの食品の１〜２個を銜えて、串を横に引き抜いて食べている。
【０００５】
しかしながら、この串を横に引き抜いて食べる際、食品のタレ等が口の辺りに付いて、体裁よく食べるには多少の馴れを要するものである。
【０００６】
そこで、串を横に引き抜いくことなく、残っている食品も一口目と同様に食べるには、串に残っている食品を串の先端側に寄せてから食べればよいのであるが、それには、予め箸や楊子などで残っている食品を串の先端側に寄せて置けばよい。しかし、そのようにする人は少ない。
【考案の開示】
【考案が解決しようとする課題】
【０００７】
本考案が解決しようとする問題点は、老若男女を問わず、焼き鳥等の串刺し食品を食べる際、一口目以降の残っている食品を安全にかつ体裁よく食べることができないという点である。
【０００８】
従って、本考案の目的は、若男女を問わず、焼き鳥等の串刺し食品を安全にして、かつ口の辺りを汚すことなく、体裁よく食べることができる串刺し食品の食事用補助具を提供することにある。
【０００９】
また、本考案の他の目的は、串刺し食品における一口または二口目以降の残っている食品を確実にして、かつ体裁よく串の先端側に寄せることができる串刺し食品の食事用補助具を提供することにある。
【００１０】
また、本考案の他の目的は、量産的であって安価に製作できる串刺し食品の食事用補助具を提供することにある。
【課題を解決するための手段】
【００１１】
これらの目的を達成するため、本考案の請求項１に記載の串刺し食品の食事用補助具は、適宜形状の寄せ板１に串１００の太さよりも僅かに大き目の貫通穴２、または溝部３が設けられ、この貫通穴２、または溝部３を介して串１００の把持部１０２に寄せ板１が差し込まれ、串指し食品２００のうち、先端側１０１の食品２００を食した後、寄せ板１と串１００を相対的に移動させて残りの食品２００を先端側１０１に寄せるようにした構成を特徴とするものである。
【考案の効果】
【００１２】
本考案の串刺し食品の食事用補助具は、その貫通穴または溝部を介して寄せ板が串の把持部に取り付けられ、串刺し食品のうち、一口目または二口目以降の残っている食品を、寄せ板または串を相対的に移動させて串先端側に寄せるものであるから、労若男女を問わず、焼き鳥、団子等の串刺し食品の全てを安全にして、かつ口の辺りを汚すことなく、体裁よく食べることができるという利点がある。
【００１３】
また、串刺し食品は、寄せ板または串を相対的に移動させることにより串先端側に寄せられるが、寄せ板を指で摘み、串を手前に引いて食品を先端側に寄せれば、指を汚すことなく容易に寄せることができるという利点がある。
【考案を実施するための最良の形態】
【００１４】
以下に図面を参照して、本考案を実施するための最良の形態についてその作用と共に説明する。
【００１５】
図１は、本考案に係る串指し食品の食事用補助具の一例での正面図、図２は、図１の２−２線に沿った断面図で、寄せ板１は、方形状等の適宜の平面形状と厚みを有し、その略中央部位には、串１００の最大太さよりも僅かに大きめの貫通穴２を有している。
【００１６】
この寄せ板１の材質は、竹、木、プラスチック等食品衛生上安全性が確認されたものであれば、特に限定されないが、製作面からも環境面からも竹材が好ましく、また、意匠を施してもよい。
【００１７】
また、寄せ板１は、平坦状の他、食品２００を抱持させるようにして、その串先端側への寄せをより容易とするため、ゆるやかな円弧状に形成してもよい。
【００１８】
このように構成された本補助具は、図３および図４に示されているように、焼き鳥、団子等の食品２００が串刺しされている串１００の把持部分１０２に、その後方より寄せ板１が貫通穴２を介して差し込まれ、この寄せ板１が付いた状態で串刺し食品は食用に供される。
【００１９】
そこで、先端側の一、二個の食品２００は、口に対して略垂直に入れ、口を結んだ後に串１００を引き抜いて食べ、次いで、残りの食品２００は、寄せ板１を指で摘み、把持部分１０２を持って串１００を、図３に示す実線矢印Ａ方向（手前）に引けば、図４に示されているように、串先端側１０１に寄せられることとなり、この食品２００を食べる時には、口元よりも持ち手の方が低いので、寄せ板１は食品２００から離れ、持ち手の方にずれ落ちて干渉することはない。
【００２０】
図５及び図６は、本考案の他例を示したもので、本例は、縦長四角形の寄せ板１の下部中央部位に、串１００の最大太さよりも僅かに大きめの縦長溝部３が形成され、この溝部３を介して上方より串１００の把持部１０２に落とし込まれて取り付けられるもので、本例によれば、串１００への取り付け、取り外しが簡単で、かつ串把持部１０２の端部に飾り等を有する串に対しても簡単に取り付けることができる。  
【００２１】
また、本例によれば、前記実施例のように、串一本に対し寄せ板を一個宛とする必要はなく、一人で複数本が盛り付けされた一皿の串食品を食する場合は、一個の寄せ板で足り、また、仲間と一緒に使用する場合においても同様である。
【００２２】
なお、本例においても、その材質、形状等は前記実施例と同様であり、また、その使用方法も、串把持部１０２に上方より溝部３を介して寄せ板１が落とし込まれて取り付けられ、寄せ板１を指で摘み、把持部１０２を持って串１００を手前に引けば、残っている食品２００を簡単に串先端側に寄せることができる。
【００２３】
図７に示された実施例は、横長四角形の寄せ板１の略３分の１の部位に、上方に向けて串１００の最大太さよりも僅かに大きめの溝部３が形成されたもので、その使用方法や作用効果は、図５に示された実施例のものと同様である。よって、それらの説明は省略する。  
【図面の簡単な説明】
【００２４】
【図１】本考案に係る串指し食品の食事用補助具の一例での正面図である。
【図２】図１の２−２線に沿った断面図である。
【図３】使用状態を示す一部を断面した側面図である。
【図４】食品を串先端側に寄せた状態を示す一部を断面した側面図である。
【図５】本考案の他例を示す正面図である。
【図６】使用状態を示す一部を断面した側面図である。
【図７】本考案の更なる他例を示す正面図である。
【符号の説明】
【００２５】
１    寄せ板
２    貫通穴
３    溝部
１００    串
１０１    串先端側
１０２    串把持部
２００    串刺し食品
Ａ    串の引き抜き方向
【図１】
0003125369.tif 000003
【図２】
0003125369.tif 000004
【図３】
0003125369.tif 000005
【図４】
0003125369.tif 000006
【図５】
0003125369.tif 000007
【図６】
0003125369.tif 000008
【図７】
0003125369.tif 000009